(57)【要約】      （修正有）【課題】調圧ユニットと蒸気孔パッキンとのシール力は従来通りの適正なシール力にするとともに、調圧ユニットの着脱を容易にする。【解決手段】外郭を形成する本体と、前記本体内に収納される内鍋と、前記本体内に設けられる加熱源と、蓋体と、前記蓋体に設けられる蒸気孔と、前記内鍋内で発生する蒸気を外部に排出するための調圧ユニットと、を有する炊飯器において、前記蒸気孔には、環状の蒸気孔パッキン８０の嵌合部８１が嵌合し、前記蒸気孔パッキン８０の内周面８０ａには、前記調圧ユニットが着脱自在に嵌合し、前記内周面８０ａと前記嵌合部８１との間の長さは、場所によって異なる炊飯器。【選択図】図７
2014213058.tif 000002
【特許請求の範囲】
【請求項１】
外郭を形成する本体と、前記本体内に収納される内鍋と、前記本体内に設けられる加熱源と、蓋体と、前記蓋体に設けられる蒸気孔と、前記内鍋内で発生する蒸気を外部に排出するための調圧ユニットと、を有する炊飯器において、
前記蒸気孔には、環状の蒸気孔パッキンの嵌合部が嵌合し、
前記蒸気孔パッキンの内周面には、前記調圧ユニットが着脱自在に嵌合し、
前記内周面と前記嵌合部との間の長さは、場所によって異なることを特徴とする炊飯器。
【請求項２】
前記内周面と前記嵌合部との形状は異なることを特徴とする請求項１記載の炊飯器。
【請求項３】
前記内周面は円形で、前記嵌合部は楕円状であることを特徴とする請求項２に記載の炊飯器。
【発明の詳細な説明】
【技術分野】
【０００１】
本願発明は、炊飯器の蓋体の調圧ユニットを嵌合する蒸気孔パッキン構造に関する。
【背景技術】
【０００２】
近時、炊飯器の需要が増え、それにつれて多くの機能が付加されるようになり、例えば、加熱手段としてワークコイルを用いた誘導加熱方式が採用され、緻密で効率的な炊飯制御並びにその後の長時間に渡る保温制御を確実に行うことができる等、炊飯器は、使い勝手の良い製品の一つとして広く利用されている。
【０００３】
炊飯器の本体上方には蓋体が設けられる。そしてこの蓋体内には、内鍋内に連通し、炊飯時に内鍋内で発生する過剰な蒸気を外部に逃がす蒸気通路が形成され、更にこの蒸気通路は、蓋体の上方部に設けられる蒸気孔に連通される。
【０００４】
そして、この蒸気孔には、環状の蒸気孔パッキンを介して内部に調圧弁を有する調圧ユニット、または内部に調圧弁はないが、代わりに広い空間を有する蒸気孔ユニット（以下、いずれも調圧ユニットという。）が着脱自在に嵌合し、内鍋内の過剰な蒸気を調圧ユニットの上面または蓋体の上面に設けられる蒸気口から外部に排出する。
【０００５】
ところで、従来の環状の蒸気孔パッキンは、その外周端に蓋体の蒸気孔の内端部に嵌合するための嵌合部と、その内周端に調圧ユニットを着脱自在に嵌合するための内周面を有するが、その嵌合部及び内周面の形状は共に円形である（例えば、特許文献１参照。）。
【０００６】
嵌合部及び内周面の形状が共に円形である蒸気孔パッキンの一例を図９（図９Ａは平面図、図９Ｂは断面図）に示す。この蒸気孔パッキンＰは、外周部に嵌合部１を有し、内周部にシール部２を有するシリコンゴム製の部材である。
【０００７】
そして、前記嵌合部１は、その上方に上方が開口した円形且つ溝状の蓋上部材用嵌合部１ａと、その下方に下方が開口した円形且つ溝状で、前記蓋上部材用嵌合部１ａと同形の蓋下部材用嵌合部１ｂとを有し、蓋上部材用嵌合部１ａを、蓋上部材の蒸気孔の内端部下面に垂下する円形の筒状部に嵌合し、蓋下部材用嵌合部１ｂを、蓋下部材の蒸気孔の内端部上面に立設する円形の筒状部に嵌合して、蓋上部材の蒸気孔と蓋下部材の蒸気孔とで挟持して固定する。なお、この例の場合、蓋上部材と蓋下部材とを組み立てて蓋体を形成すると、蓋上部材の蒸気孔と蓋下部材の蒸気孔とで蓋体の内部に１つの蒸気孔が形成されることになる。
【０００８】
また、前記シール部２は、嵌合部１の内周側に位置し、調圧ユニットが嵌合されると変形してその嵌合を許容する部分であり、その内周に円形の内周面３を有する。そして、径方向の長さと、上下方向の厚さは全周で同じである。
【０００９】
上記のように蒸気孔パッキンＰを蓋体の蒸気孔に取付けた後、蒸気孔パッキンＰのシール部２の内周面３に調圧ユニットの下端に垂下する円形の筒状部を嵌合して調圧ユニットを取付けることになる。
【００１０】
この場合、蒸気孔パッキンＰのシール部２の径方向の長さは全周で同じであるため、シール部２が全周でほぼ同様に変形して、調圧ユニットの着脱を可能にするとともに、嵌合後は筒状部の全外周面に均等に密着して蒸気漏れをなくする。
【００１１】
ところで、上記した調圧ユニットは内部におねば等が浸入し内部が汚れるため、蒸気孔パッキンＰから取り外して内部を洗う必要が生じる。また、蒸気孔パッキンＰの内周面３の径Ｄは、調圧ユニットの筒状部の外径より小さくされるが、その径Ｄの長さを小さくするとシール力が高まる反面、調圧ユニットを着脱し難くなるとの新たな弊害が生じ、その径Ｄの長さを大きくすると調圧ユニットを着脱し易くなる反面、シール力が弱まるとの新たな弊害が生じる。
【００１２】
このように、蒸気孔パッキンＰは相反する機能を有するところ、調圧ユニットの着脱の困難性はその分強い力で着脱すれば解決されるが、シール力が不足して蒸気が漏れると問題が大きくなるとの観点から、従来の蒸気孔パッキンＰは、どちらかといえば適正なシール力を確保する点に重点をおいて作られている。
【先行技術文献】
【特許文献】
【００１３】
【特許文献１】特開平１０−２１６０１１号公報
【発明の概要】
【発明が解決しようとする課題】
【００１４】
本願発明の目的は、上記課題を解決するものである。即ち、調圧ユニットと蒸気孔パッキンとのシール力は従来通りの適正なシール力にするとともに、調圧ユニットの着脱を容易にする蒸気孔パッキン構造を提供することである。
【課題を解決するための手段】
【００１５】
上記目的を達成するため、本願発明は以下の構成を採用する。
【００１６】
請求項１に係る発明では、外郭を形成する本体と、前記本体内に収納される内鍋と、前記本体内に設けられる加熱源と、蓋体と、前記蓋体に設けられる蒸気孔と、前記内鍋内で発生する蒸気を外部に排出するための調圧ユニットと、を有する炊飯器において、前記蒸気孔には、環状の蒸気孔パッキンの嵌合部が嵌合し、前記蒸気孔パッキンの内周面には、前記調圧ユニットが着脱自在に嵌合し、前記内周面と前記嵌合部との間の長さは、場所によって異なる構成。なお、調圧ユニットは、内部に調圧弁を有するものであっても有しないものであってもよい。
【００１７】
請求項２に係る発明では、前記内周面と前記嵌合部との形状は異なる構成。
【００１８】
請求項３に係る発明では、前記内周面は円形で、前記嵌合部は楕円状である構成。なお、「楕円状」は楕円形は勿論のこと、円弧部及び直線部を有するトラック形状も含む
【発明の効果】
【００１９】
本願発明では、蒸気孔パッキンの内周面と嵌合部との間の長さを場所によって異ならせる等の構成を特徴とする。ところで、蒸気孔パッキンはシリコンゴムであり嵌合部は固定されるため、シール部の長さが長いほどその部分の変形量は大きくなる。また、調圧ユニットを蒸気孔パッキンから取り外す場合、調圧ユニット全体を真上に持ち上げるのではなく、調圧ユニットの外周の一端を指等で持ち上げ、全体を若干回動するようにして上方へ持ち上げる形態での取り外しが一般である。
【００２０】
上記の構成は、シール部の長さの一部を他の部分に比べて長くするもの、別言すれば、従来のものより長くするものであり、長くなった分変形量を大きくすることができ、その結果、蒸気孔パッキンのシール力は従来通りの適正なものにすることができるとともに、調圧ユニットの着脱を容易にすることができる。
【００２１】
なお、この場合、調圧ユニットの回動方向（指で押し上げる方向）と長さの長い領域とが一致するように、例えば予めその方向に位置を合わせて長さの長い領域を設定することになる。
【図面の簡単な説明】
【００２２】
【図１】本願発明の炊飯器の全体断面図
【図２】蓋体の一部の平面図
【図３】蓋体の蓋上部材を取り除いた状態を示す平面図
【図４】蓋体から調圧弁等の部材を取り除いた状態を示す一部断面図
【図５】調圧ユニットを蓋部と本体部とを取り外した状態を斜め上方から見た斜視図
【図６】調圧ユニットを蓋部と本体部とを取り外した状態を斜め下方から見た斜視図
【図７】（Ａ）は蒸気孔パッキンの平面図、（Ｂ）は蒸気孔パッキンの断面図
【図８】他の蒸気孔パッキンの平面図
【図９】従来の蒸気孔パッキンの平面図及び断面図
【実施例】
【００２３】
以下、添付の図面を参照して、本願発明の好適な実施例について述べる。図１は炊飯器の全体断面図、図２、図３は蓋体の一部の平面図、図４は蓋体の一部断面図、図５、図６は調圧ユニットの斜視図、図７、図８は蒸気孔パッキンの平面図等である。なお、図１において操作部がある左側を前方とし、その反対側のヒンジ軸がある右側を後方とし、前後方向に直交する方向を左右方向とし、上側を上方とし、下側を下方とする。
【００２４】
炊飯器２０（含む炊飯ジャー）の略全体を図１に示す。炊飯器２０は、本体２１及び蓋体４０からなる。本体２１は、合成樹脂製の一体成形品からなる外ケース２２を有し、この外ケース２２の内部には、金属鍋或いは土鍋等の内鍋２３が着脱自在にセットされるとともに、この内鍋２３の外側には当該内鍋２３の形状に沿った保護枠である内ケース２４が設けられる。
【００２５】
この内ケース２４は、例えばポリエチレンテレフタレート等の耐熱性の合成樹脂製のもので、その底部中央にはサーミスタからなる温度センサ２５を臨ませるためのセンサ挿入孔を有する。
【００２６】
内ケース２４の上端は、外ケース２２の上端と肩部である肩部材２６を介して一体に結合される。内ケース２４の底部外面及び底部から側部にかけての湾曲部外面には、内鍋２３を誘導加熱する加熱手段である底部ワークコイル２７及び側部ワークコイル２８が設けられる。これら底部ワークコイル２７及び側部ワークコイル２８は、内ケース２４の底部及び湾曲部の各位置に、内ケース２４の底部中央を中心として同心円状に設けられる。なお、肩部材２６は本体２１と一体であっても別体であってもよい。
【００２７】
これら底部ワークコイル２７及び側部ワークコイル２８の下方には合成樹脂製のコイル支持台２９を有し、このコイル支持台２９がネジ等で内ケース２４に取り付けられることにより、底部ワークコイル２７及び側部ワークコイル２８は図示する所定位置に位置決め固定される。
【００２８】
前記外ケース２２の底部は側部と一体に形成されており、全体で上方に開口を有する容器を形成する。外ケース２２の後方の内部には、肩部材２６から垂下する形態で、制御基板３２が設けられる。
【００２９】
この制御基板３２には、底部ワークコイル２７、側部ワークコイル２８等の加熱手段を制御するためのマイコン及び電源回路等の電気部品が搭載される。なお、制御基板３２の後方側にはコード巻取器３３が設けられる。
【００３０】
前記蓋体４０は、外周面を形成する樹脂製の蓋上部材４１と、蓋下部材４２を有する。蓋上部材４１の前方側には、ロック機構４３が設けられる。ロック機構４３は押圧ボタンでもあるロックレバー４３ａ及び係止部４３ｂを有し、ロックレバー４３ａを上方から押すと、ロックレバー４３ａの下方に位置する係止部４３ｂが本体２１の上端部に設けられる係止部との係合が解除される。すると蓋体４０は後記するヒンジばねであるコイルばね６２及び補助コイルばね６３のばね力により開蓋する。
【００３１】
蓋上部材４１の前方側には、図２に示すように炊飯ボタン、予約ボタン、取消ボタン及びメニューボタン等からなる各種操作ボタン４４及び表示部４５が設けられ、ユーザーは各種操作ボタン４４を押して所望の調理を実行する。そして、操作されたメニュー等が表示部４５に表示される。
【００３２】
また、蓋上部材４１の後方側には、後記の調圧ユニットを装着するための凹部領域Ｒを有する。この凹部領域Ｒは、後方側から前方側に向かって略同じ深さ窪んだ平面視略コ字状の領域であり、この凹部領域Ｒの前方側中央には、蒸気孔４６の一部である蓋上部材側蒸気孔４６ａを有する。
【００３３】
この蓋上部材側蒸気孔４６ａは、トラック形状であり、その内周端には下方に若干の長さ垂下するトラック形状の下側円筒部４６ａａを有する。この蓋上部材側蒸気孔４６ａは、後記の蓋下部材側蒸気孔４６ｂと同形であり、下側円筒部４６ａａと蓋下部材側蒸気孔４６ｂの上側円筒部４６ｂｂとで後記の蒸気孔パッキン８０を挟持する。
【００３４】
そして、蓋上部材側蒸気孔４６ａと蓋下部材側蒸気孔４６ｂとで１つの蒸気孔４６を構成する。なお、蒸気孔４６の形状は、円弧部と直線部とを有するトラック形状の他に楕円形であってもよい。
【００３５】
前記蓋下部材４２は、蓋上部材４１と同様に樹脂製の部材であり、蓋下部材４２の中央且つ後方よりにはトラック形状の蓋下部材側蒸気孔４６ｂを有する。この蓋下部材側蒸気孔４６ｂは前記蓋上部材側蒸気孔４６ａの直下に位置する蓋上部材側蒸気孔４６ａと同形のもので、その内周端には上方に若干の長さ立設するトラック形状の上側円筒部４６ｂｂを有する。
【００３６】
この上側円筒部４６ｂｂは、上記したように下側円筒部４６ａａとで蒸気孔パッキン８０を挟持し、蒸気孔パッキン８０には後記の調圧ユニット７０が嵌合される。
【００３７】
また、蓋下部材４２には球状弁４８及び蒸気通路５０を有しており、内鍋２３内の蒸気は、球状弁４８が開くと黒塗りの矢印で示すように流れて、調圧ユニット７０内に侵入し、含まれるおねばを分離後に蒸気口７２ａより外部に放出される。
【００３８】
蓋下部材４２の上面には、図３で示すような補強部材５５が複数本のビスで上方から取り付けられている。この補強部材５５は、左右端に位置するとともに、前後方向に伸び、下方開放の断面門状の隆起部５５ａ、５５ａと、隆起部５５ａ、５５ａの下端部間を連結し、一部切欠穴５５ｃを有する水平部５５ｂとからなる金属製の部材であり、蓋体４０の上面を補強する。このような補強部材５５を設けることにより圧力をかけての炊飯使用を可能にする。
【００３９】
補強部材５５の水平部５５ｂの後端は、切り掛かれ垂直部及び水平部からなる第１切り起こし片５６を有する。そして、この水平部の下面で後記補助コイルばね６３の長端部６３ａを支持する。
【００４０】
また、補強部材５５の水平部５５ｂには、同じく垂直部と水平部とを有する２つの小さな第２切り起こし片５７が左右方向に所定距離離れて形成されており、後記する２つのコイルばね６２、６２の長端部６２ａ、６２ａのそれぞれを支持する。
【００４１】
蓋下部材４２の後方部には、金属製のヒンジ軸６０を有する。前記補強部材５５の隆起部５５ａ、５５ａの後端部には、それぞれ軸支持孔６１、６１が形成されており、前記ヒンジ軸６０の両端は、それぞれの軸支持孔６１、６１に回転不能に取付けられる。
【００４２】
このヒンジ軸６０には、左右対称で且つ同ばね力を有し、且つ長さの長い長端部６２ａと長さの短い短端部６２ｂをそれぞれ有する２つのコイルばね６２、６２と、２つのコイルバネ６２、６２より弱いばね力を有し、長さの長い長端部６３ａと長さの短い短端部６３ｂ（図１参照）を有する補助コイルばね６３が挿通される。
【００４３】
そして、２つのコイルばね６２、６２の長端部６２ａ、６２ａを第２切り起こし片５７、５７に支持し、その短端部６２ｂ、６２ｂを肩部材２６側に支持するとともに、補助コイルばね６３の長端部６３ａを第１切り起こし片５６に支持し、その短端部６３ｂを肩部材２６側に支持する。
【００４４】
なお、補助コイルばね６３は、一対のコイルばね６２、６２よりばね力の弱いばねであり、この補助コイルばね６３を設けることにより全体のばね力が大きくなり、特に、開蓋初期に蓋体４０を早い速度で開放し、開蓋時にロックレバー４３ａから指を離す直後に、蓋体４０が再度ロックされる再掛かりを防止することができるとともに、全開時近傍で蓋体４０にブレーキ作用を付与して全開時の衝撃を低減することができる。しかしながら、この補助コイルばね６３はなくてもよい。
【００４５】
調圧ユニットについて説明する。調圧ユニットは内部に調圧弁を有するものと有しないものがあるが、本願発明は何れも対象にする。以下に説明する調圧ユニット７０は後者のタイプであり、内部に調圧弁の代わりに温度を下げて調圧する広い調圧空間を有する。
【００４６】
調圧ユニット７０の本体部７１と蓋部７２とを分解した斜視図を図５及び図６に示す。調圧ユニット７０は、樹脂製であり、本体部７１及び蓋部７２を有する。
【００４７】
前記本体部７１は、上方開口で平面視矩形状の容器状部材であり、その底面は後方端より前方端に向かって下方に傾斜しており、内部に広い内部空間７３を有する。この内部空間７３はおねばを回収し、本体２１側に戻す機能を有する。
【００４８】
本体部７１の前方側の底部には、有底で円形の筒状体７４が底部より下方に垂下する形態で設けられ、更に筒状体７４の中央には、下方開口で円形の筒状突出体７５が筒状体７４の内周面との間に所定距離有して同心に設けられ、筒状体７４との間にリング状空間７６を形成している。
【００４９】
この筒状突出体７５は、本体部７１とほぼ同じ高さまで伸び、その上端部には後方側に向かって開口する上端開口部７５ａを有する。また、その下端部には下端開口部７５ｂを有し、調圧ユニット７０が蓋体４０に取付けられると下端開口部７５ｂは蓋体４０の蒸気通路５０に連通する。
【００５０】
前記リング状空間７６の底部には、図示しない開孔を有するとともに、この開口を覆うが前記下端開口部７５ｂを覆わないドーナツ状で薄い厚さの逆止弁７７が筒状体７４の下端部に取り付けられており、リング状空間７６内に内部空間７３で分離されたおねばの一定量が溜まると溜まったおねばを蒸気通路５０を介して本体２１側に戻す。しかし、蒸気通路５０からの蒸気の侵入は阻止する。
【００５１】
また、本体部７１の前方側の側面には、前方側に突き出るプッシュボタン７１ａと、プッシュボタン７１ａが押されると後方側に移動する係止突起７１ｂを有し、後方側の側面には、後方側に突き出る２つのコ字状係止片７１ｃ、７１ｃを有している。
【００５２】
前記蓋部７２は、平面視矩形状の板状部材であり、その上面には上下方向に貫通した蒸気口７２ａを有する。また、その内面にはＣ字状の遮蔽板７２ｂが下方に垂下している。この遮蔽板７２ｂは、筒状突出体７５の上端開口部７５ａに対向するように配置され、上端開口部７５ａから内部空間７３に侵入する蒸気を当て、含まれるおねばを分離する。
【００５３】
また、蓋部７２の前方側の側面には、本体部７１の係止突起７１ｂが係合するための係止溝７２ｃを有し、その後方側には、本体部７１のコ字状係止片７１ｃ、７１ｃが係合するための２つの係止フック７２ｄ、７２ｄを有する。
【００５４】
本体部７１と蓋部７２とは、係止フック７２ｄ、７２ｄにコ字状係止片７１ｃ、７１ｃを係合した後、係止溝７２ｃに係止突起７１ｂを係合して組み立てて調圧ユニット７０を完成させる。
【００５５】
そして、完成させた調圧ユニット７０を蓋上部材４１後方側の凹部領域Ｒに装着することになるが、その装着は、調圧ユニット７０の筒状体７４の外周面７４ａを予め蒸気孔４６に嵌合してある蒸気孔パッキン８０の内周面８２ａに上方から押し込む形態で行われる。
【００５６】
蒸気孔パッキン８０について説明する。蒸気孔パッキン８０は、外周部に嵌合部８１を有し、内周部にシール部８２を有する左右対称のシリコンゴム製の環状部材である。
【００５７】
そして、前記嵌合部８１は、その上方に上方が開口したトラック形状且つ溝状の蓋上部材用嵌合部８１ａと、その下方に下方が開口したトラック形状且つ溝状で、前記蓋上部材用嵌合部８１ａの直下に位置し蓋上部材用嵌合部８１ａと同形の蓋下部材用嵌合部８１ｂとを有する。 なお、この嵌合部８１は溝として説明するが、相手が溝の場合には上方に突き出た突出片になる。
【００５８】
前記シール部８２は、嵌合部８１の内周側に位置し、調圧ユニット７０が嵌合されると変形してその嵌合を許容する部分であり、その内周に直径Ｄの円形の内周面８２ａを有する。なお、この内周面８２ａの径Ｄは図９の従来例の径Ｄに相当する。
【００５９】
そして、このシール部８２の上下方向の厚さは全周で同じであるが、前後方向の長さと左右方向の長さは異なる。即ち、前後方向の長さＴが最も長く、左右方向の長さｔが最も短く、前後方向から左右方向にかけての長さが徐々に短くなるようにされている。
【００６０】
なお、左右方向の長さｔは図６の従来例の長さｔ、即ち、適正なシール力が得られる長さに相当する。このような形態にすることにより、シール力は従来のものと同様にすることができる。
【００６１】
また、蒸気孔パッキン８０の左右端には、下方に垂下する側面視矩形状の板状体８３、８３が設けられる。この板状体８３、８３は位置合わせのためのもので、蓋下部材４２の所定位置に所定距離離れて設けられる図示しない２つの溝部に挿入される。
【００６２】
そのため蒸気孔パッキン８０は、常に長辺側が前後方向になるように取付けられる。その理由は、調圧ユニット７０を取り外す場合、調圧ユニット７０の後端部に指を掛けて前後方向に力を加えて取り外すためである。なお、蒸気孔パッキン８０の取り外し方向は前後方向以外の方向、例えば左右方向になるような形態であってもよい。
【００６３】
蒸気孔パッキン８０をこのような形態にすることにより、蒸気孔パッキン８０に前後方向の力が加わった場合、最も長い前後方向の部分のシール部８２が容易に変形し、調圧ユニット７０の着脱が容易になる。
【００６４】
この場合、シール部８２の長い長さの箇所は前後方向の前方側と後方側に設けてあれば前後方向側とも容易に変形するため、調圧ユニット７０を着脱する際の容易性の効果が大になって好ましいが、長い長さの箇所は前後方向側のいずれかであってもよい。
【００６５】
蒸気孔パッキン８０の取付けは以下のように行われる。まず、蒸気孔パッキン８０の板状体８３、８３を図示しない溝部に嵌合するとともに、蓋下部材用嵌合部８１ｂを蓋下部材４２の上側円筒部４６ｂｂに嵌合する。次いで、蓋下部材４２の上方に蓋上部材４１を取付け、蒸気孔パッキン８０の蓋上部材用嵌合部８１ａに蓋上部材４１の下側円筒部４６ａａを嵌合して蒸気孔パッキン８０を上側円筒部４６ｂｂと下側円筒部４６ａａとで挟持して固定する。
【００６６】
その後、蒸気孔パッキン８０の内周面８２ａ内に調圧ユニット７０の筒状体７４の外周面７４ａを嵌合する。そして、調圧ユニット７０を取り外す場合は、蓋部７２の後端部に指を掛け、指を前方側の斜め上方に向かって移動して調圧ユニット７０を前方側に向かって斜め上方に持ち上げるようにして取り外すことになる。
【００６７】
図８に蒸気孔パッキンの変形例を示す。この例は、嵌合部８１及びシール部８２の内周面８２ａを円形にするとともに、シール部８２の内周面８２ａを偏心させて、シール部８２に長さの長いＴ領域と、長さの短いｔ領域を形成したものである。
【００６８】
そして、この例のものは図の上下方向が炊飯器の前後方向になるように配置される。この例のものにおいても図７のものと同様の効果を奏することができる。
【００６９】
本発明は、前記実施例の構成に限定されるものではなく、発明の要旨を逸脱しない範囲において適宜設計変更可能であり、例えば、蒸気孔パッキンの内周面の形状は円形として説明したが、調圧ユニットの嵌合部の形状と同じであればどのような形状、例えば、多角形等であってもよく、また、嵌合部の形状も、楕円形状でも他の形状であってもよい。
【符号の説明】
【００７０】
２０…炊飯器                ２１…本体
２２…外ケース              ２３…内鍋
２４…内ケース              ２５…温度センサ
２６…肩部材                ２７…底部ワークコイル
２８…側部ワークコイル      ２９…コイル支持台
３２…制御基板              ３３…コード巻取器
４０…蓋体                  ４１…蓋上部材
４２…蓋下部材              ４３…ロック機構
４３ａ…ロックレバー        ４３ｂ…係止部
４４…操作ボタン            ４５…表示部
４６…蒸気孔                ４６ａ…蓋上部材側蒸気孔
４６ａａ…下側円筒部        ４６ｂ…蓋下部材側蒸気孔
４６ｂｂ…上側円筒部        ４８…球状弁
５０…蒸気通路              ５５…補強部材
５５ａ…隆起部              ５５ｂ…水平部
５５ｃ…切欠穴              ５６…第１切り起こし片
５６ａ…垂直部              ５６ｂ…水平部
５７…第２切り起こし片      ６０…ヒンジ軸
６１…軸支持孔              ６２…コイルばね
６２ａ…長端部              ６２ｂ…短端部
６３…補助コイルばね        ６３ａ…長端部
６３ｂ…短端部              ７０…調圧ユニット
７１…本体部                ７１ａ…プッシュボタン
７１ｂ…係止突起            ７１ｃ…コ字状係止片
７２…蓋部                  ７２ａ…蒸気口
７２ｂ…遮蔽板              ７２ｃ…係止溝
７２ｄ…係止フック          ７３…内部空間
７４…筒状体                ７４ａ…外周面
７５…筒状突出体            ７５ａ…上端開口部
７５ｂ…下端開口部          ７６…リング状空間
７７…逆止弁                ８０…蒸気孔パッキン
８１…嵌合部                ８１ａ…蓋上部材用嵌合部
８１ｂ…蓋下部材用嵌合部    ８２…シール部
８２ａ…内周面              ８３…板状体
Ｒ…凹部領域
【図１】
2014213058.tif 000003
【図２】
2014213058.tif 000004
【図３】
2014213058.tif 000005
【図４】
2014213058.tif 000006
【図５】
2014213058.tif 000007
【図６】
2014213058.tif 000008
【図７】
2014213058.tif 000009
【図８】
2014213058.tif 000010
【図９】
2014213058.tif 000011